(57)【要約】【課題】演出可動部材を広い範囲で浮遊しているかのように移動させ得る遊技機用演出装置を提供する。【解決手段】遊技盤１５に取付けられる遊技機用演出装置１であって、遊技盤１５に対して移動不能に設けられる演出固定部材２と、光を透過する材料で形成されかつ演出固定部材２の表側に移動可能に設けられる透明部材３と、透明部材に設けられる演出可動部材４，５と、透明部材３を演出固定部材２に対して移動させる駆動手段６とを有する。【選択図】図２
2010104486.tif 000002
【特許請求の範囲】
【請求項１】
遊技盤に取付けられる遊技機用演出装置であって、
遊技盤に対して移動不能に設けられる演出固定部材と、光を透過する材料で形成されかつ前記演出固定部材の表側に移動可能に設けられる透明部材と、前記透明部材に設けられる演出可動部材と、前記透明部材を前記演出固定部材に対して移動させる駆動手段とを有することを特徴とする遊技機用演出装置。
【請求項２】
請求項１に記載の遊技機用演出装置であって、
演出固定部材は、遊技盤の開口部の裏側に配設され、
透明部材は、前記遊技盤の裏側でかつ前記演出固定部材の表側に配設され、
さらに前記透明部材は、前記遊技盤の開口部よりも大きく、かつ移動の際に常に外周端縁が前記開口部の外側領域に位置することを特徴とする遊技機用演出装置。
【請求項３】
請求項２に記載の遊技機用演出装置であって、
遊技盤の裏側に配設されるベース部材を有し、
前記ベース部材は、遊技機の開口部に対応する開口部を具備する板状のベース本体と、透明部材を移動可能に支持するガイド部を有し、
前記ガイド部は、板状の前記透明部材の側縁に沿って延出して該側縁を覆い、
前記ベース本体は、前記透明部材が移動する際に前記透明部材の外周端縁が常に前記ベース本体の外周端縁から突出しない形状を有することを特徴とする遊技機用演出装置。
【発明の詳細な説明】
【技術分野】
【０００１】
本発明は、パチンコ機やスロットマシンなどの遊技機の遊技盤に取付けられて興趣性を向上させる演出装置に関する。
【背景技術】
【０００２】
遊技機の遊技盤には、興趣性を向上させる種々な演出装置が取付けられている。例えば遊技盤の中央に設けられる液晶表示装置と、液晶表示装置に対して移動する演出可動部材と、演出可動部材を移動させる駆動手段を有する演出装置が知られている（特許文献１参照）。演出可動部材は、液晶表示装置の表側の出現位置に移動して液晶表示装置を隠し、液晶表示装置よりも上方の退避位置に移動して液晶表示装置を視認させ得る。駆動手段は、モータと、モータによって動くリンクを有しており、リンクは、常に可動部材の裏側等の表側から見えない位置を移動する。そのため演出可動部材は、浮遊しているかのように移動する。
【特許文献１】特開２００８−７９７２６号公報
【発明の開示】
【発明が解決しようとする課題】
【０００３】
しかし駆動手段のリンクを常に隠す必要があるために、演出可動部材の移動できる範囲は限定されている。そこで本発明は、演出可動部材を広い範囲で浮遊しているかのように移動させ得る遊技機用演出装置を提供することを課題とする。
【課題を解決するための手段】
【０００４】
前記課題を解決するために本発明は、各請求項に記載の通りの構成を備える遊技機用演出装置であることを特徴とする。請求項１に記載の発明によると、遊技盤に対して移動不能に設けられる演出固定部材と、光を透過する材料で形成されかつ演出固定部材の表側に移動可能に設けられる透明部材と、透明部材に設けられる演出可動部材と、透明部材を演出固定部材に対して移動させる駆動手段とを有している。
【０００５】
したがって光を透過する部材で透明部材が形成されているために、透明部材の存在は、視認され難い。そのため透明部材に設けられた演出可動部材は、浮遊しているかのように移動できる。また視認し難い透明部材を使用するために、演出可動部材を透明部材のいずれの位置にも設けることができ、また演出可動部材を広い範囲で浮遊しているかのように移動させることができる。また透明部材を介して演出固定部材を視認でき、かつ演出可動部材も視認できるため、演出固定部材と演出可動部材との競演等によって興趣性も向上され得る。
【０００６】
請求項２に記載の発明によると、演出固定部材は、遊技盤の開口部の裏側に配設される。透明部材は、遊技盤の裏側でかつ演出固定部材の表側に配設される。さらに透明部材は、遊技盤の開口部よりも大きく、かつ移動の際に常に外周端縁が開口部の外側領域に位置する。したがって透明部材の外周端縁が常に遊技盤の表側から見えないため、透明部材の存在を認識することが非常に困難になる。これにより演出可動部材が浮遊している効果がさらに向上する。
【０００７】
請求項３に記載の発明によると、遊技盤の裏側に配設されるベース部材を有している。ベース部材は、遊技機の開口部に対応する開口部を具備する板状のベース本体と、透明部材を移動可能に支持するガイド部を有している。ガイド部は、板状の透明部材の側縁に沿って延出して該側縁を覆う。ベース本体は、透明部材が移動する際に透明部材の外周端縁が常にベース本体の外周端縁から突出しない形状を有している。したがって透明部材は、外周端縁がベース本体の外周端縁から突出せず移動し、しかも側縁がベース部材のガイド部によって一部もしくは全部が覆われる。そのため透明部材が移動しても、透明部材とベース部材の間に配線等が巻き込まれるおそれが小さくなる。
【発明を実施するための最良の形態】
【０００８】
本発明の実施の形態を図１〜８にしたがって説明する。パチンコ機（遊技機）１０は、図１に示すように矩形枠状の外枠１１と、外枠１１に回動可能に取付けられる前枠１２と、前枠１２に取付けられる遊技盤１５を有している。前枠１２の中央には、遊技盤１５が取付けられ、前枠１２の裏面には、制御基盤などが取付けられる。前枠１２の下部には、発射ハンドル１４、上皿１６、下皿１７などが取付けられ、前枠１２の側部には、遊技盤１５を覆うガラス板を有するガラス扉１３が回動可能に取付けられる。
【０００９】
図１，２に示すように遊技盤１５は、板状であって、表面外周部に円弧状の球誘導レール２０が取付けられ、球誘導レール２０によって遊技領域１５ａが区画される。遊技盤１５の中央には、開口部１５ｂが形成され、開口部１５ｂに演出装置１が設けられる。遊技盤１５の遊技領域１５ａには、複数の回転風車２４と一般入賞口２１が設けられる。演出装置１の直下には、始動入賞口２２が設けられ、始動入賞口２２の直下には、大入賞口を有するアタッカー装置２３が設けられる。
【００１０】
演出装置１は、図３，４に示すようにベース部材７と、表示装置（演出固定部材）２と、これらの間に移動可能に設けられる透明部材３を有している。ベース部材７は、不透明の樹脂材から形成されており、板状のベース本体７ａを有している。ベース本体７ａの中央には、表示装置２を表側から視認させ得る開口部７ａ１が形成されている。開口部７ａ１の下端縁には、一対の凹部７ａ２が形成されている。
【００１１】
ベース本体７ａの裏面には、図３，４に示すように一対のガイド部７ｂと複数のボス部７ｄ，７ｅが形成されている。一対のガイド部７ｂは、開口部７ａ１の隣接位置において上下に並設される上下延出部７ｂ１と、上下延出部７ｂ１の下端部から他方のガイド部７ｂに向けて略水平方向に延出するストッパ部７ｂ２を有している。
【００１２】
透明部材３は、光を透過する材料、例えば透明または半透明の樹脂材料等から略板状に形成される。図３，６に示すように透明部材３は、ガイド部７ｂの間に設置されて、上下延出部７ｂ１によってベース本体７ａの裏側において上下動可能に支持される。そしてガイド部７ｂのストッパ部７ｂ２によってベース本体７ａから脱落することが防止される。
【００１３】
透明部材３の表面には、図３，８に示すように演出可動部材４，５が取付けられる。演出可動部材４は、ＵＦＯ形状であって、透明部材３の略中央位置に取付けられる。演出可動部材５は、パチンコ球であって、透明部材３の下左右部に取付けられる。
【００１４】
透明部材３とベース部材７の間には、図３，４に示すように透明部材３をベース部材７に対して移動させる駆動手段６が設けられる。駆動手段６は、モータ６ａとカム６ｂを有している。モータ６ａは、ブラケット６ｃに取付けられ、ブラケット６ｃは、ベース部材７のボス部７ｅに取付けられる。これによって駆動手段６は、ベース部材７の裏面下部に設けられる。カム６ｂは、円形もしくは楕円形の板状であって、モータ６ａの出力軸が偏心位置に取付けられる。
【００１５】
図３に示すように透明部材３とベース部材７の間には、コイルスプリングである付勢部材８が取付けられている。付勢部材８の上端部は、透明部材３の下端部に形成された係止部３ａに係止され、下端部は、ベース本体７ａの下部に形成された係止部７ｃに係止される。これにより透明部材３は、付勢部材８によって下方に付勢される。
【００１６】
表示装置２は、液晶表示部を有している。液晶表示部は、三つのリールが回転・停止するように見える図柄や、キャラクタ等の図柄を表示する。図３に示すように表示装置２は、ベース部材７の裏側のボス部７ｄに取付けられる。表示装置２は、ベース部材７の開口部７ａ１に対応する位置に配設されており、開口部７ａ１と透明部材３を介して表側から視認され得る。
【００１７】
ベース部材７の表側には、図４，７に示すように枠部材９が取付けられる。枠部材９は、矩形枠状であって、遊技盤１５の開口部１５ｂに表側から挿入された状態で、ベース部材７の表側に取付けられる。枠部材９の中央には、表示装置２を視認可能にする開口部９ａが形成されている。枠部材９の下部上面には、図４，５に示すようにパチンコ球を受け入れて転動させるステージ９ｃが形成されている。開口部９ａの下部でステージ９ｃの奥側には、演出可動部材５の出入りを許容する切欠き部９ｂが形成されている。
【００１８】
図２に示すように演出装置１を遊技盤１５に取付けることで、表示装置２は、遊技盤１５の開口部１５ｂから透明部材３を通して視認できる。一方、駆動手段６は、遊技盤１５の裏側でかつ開口部１５ｂの領域外に位置するため表側から視認できない。
【００１９】
図６に示すように駆動手段６のモータ６ａを駆動させると、モータ６ａがカム６ｂを回転させる。これによりカム６ｂの外周端縁が透明部材３の下面を押し、透明部材３が上下動する。透明部材３は、下方に移動する際、付勢部材８の付勢力を利用して安定良く移動する。透明部材３の側縁は、ガイド部７ｂによって案内支持される。透明部材３は、上下動する際、ガイド部７ｂによって側縁が覆われ、上位置にある際に、側縁の上端部のみがガイド部７ｂから突出する。透明部材３の外周端縁は、透明部材３の移動の際に常にベース本体７ａの外周端縁から突出しない範囲で移動する。
【００２０】
図５，７，８に示すように演出可動部材４，５は、透明部材３とともに上下動し、演出可動部材４は、表示装置２の表側において上下動する。演出可動部材５は、表示装置２の下側に退避する退避位置（図７の位置）と、表示装置２の表側に位置する出現位置（図８の位置）との間を上下動する。演出可動部材５は、出現位置から退避位置に移動する際、ベース部材７の凹部７ａ２と枠部材９の切欠き部９ｂを通って表側から見えない退避位置に移動する。そのため出現位置に移動することで、突然、ステージ９ｃの上方に現れる。
【００２１】
以上のように演出装置１は、図２，３に示すように遊技盤１５に対して移動不能に設けられる表示装置（演出固定部材）２と、光を透過する材料で形成されかつ表示装置２の表側に移動可能に設けられる透明部材３と、透明部材３に設けられる演出可動部材４，５と、透明部材３を表示装置２に対して移動させる駆動手段６を有している。
【００２２】
したがって光を透過する部材で透明部材３が形成されているために、透明部材３の存在は、視認され難い。そのため透明部材３に設けられた演出可動部材４，５は、浮遊しているかのように移動できる。また視認し難い透明部材３を使用するために、演出可動部材４，５を透明部材３のいずれの位置にも設けることができ、また演出可動部材４，５を広い範囲で浮遊しているかのように移動させることができる。また透明部材３を介して表示装置２を視認でき、かつ演出可動部材４，５も視認できるため、表示装置２と演出可動部材４，５との競演等によって興趣性も向上され得る。
【００２３】
また表示装置２は、図２，７に示すように遊技盤１５の開口部１５ｂの裏側に配設される。透明部材３は、遊技盤１５の裏側でかつ表示装置２の表側に配設される。さらに透明部材３は、遊技盤１５の開口部１５ｂよりも大きく、かつ移動の際に常に外周端縁が開口部１５ｂの外側領域に位置する。したがって透明部材３の外周端縁が常に遊技盤１５の表側から見えないため、透明部材３の存在を認識することが非常に困難になる。これにより演出可動部材４，５が浮遊している効果がさらに向上する。
【００２４】
また演出装置１は、図６，７に示すように遊技盤１５の裏側に配設されるベース部材７を有している。ベース部材７は、遊技機の開口部１５ｂに対応する開口部７ａ１を具備する板状のベース本体７ａと、透明部材３を移動可能に支持するガイド部７ｂを有している。ガイド部７ｂは、板状の透明部材３の側縁に沿って延出して該側縁を覆う。ベース本体７ａは、透明部材３が移動する際に透明部材３の外周端縁が常にベース本体７ａの外周端縁から突出しない形状を有している。したがって透明部材３は、外周端縁がベース本体７ａの外周端縁から突出せず移動し、しかも側縁がベース部材７のガイド部７ｂによって一部もしくは全部が覆われる。そのため透明部材３が移動しても、透明部材３とベース部材７の間に配線等が巻き込まれるおそれが小さくなる。
【００２５】
（他の実施の形態）
本発明は、上記実施の形態に限定されず、以下の形態等であっても良い。
（１）上記実施の形態の演出装置１は、パチンコ機１０に設けられている。しかしスロットマシンやパチスロなどの他の遊技機に設けられる形態であっても良い。
（２）上記実施の形態の演出装置１は、演出固定部材として液晶表示タイプの表示装置２を有している。しかし演出固定部材として、ＬＥＤを有する表示装置、電飾装置、装飾図柄が描かれた装飾部材などを有する形態であっても良い。
（３）上記実施の形態の透明部材３は、板形状であって駆動手段６によって持上げられて移動する。しかし透明部材が巻き取り可能なシート状で、透明部材の一端部側を巻取る駆動手段によって透明部材を移動させる形態であっても良い。
（４）上記実施の形態の駆動手段６は、遊技盤１５の裏側でかつ遊技盤１５の開口部１５ｂから外れた位置に設けられ、これによって表側から見えない。しかし遊技盤１５の表側で他の部材の裏側に配置されることで表側から見えない形態であっても良い。
（５）上記実施の形態の駆動手段６は、遊技盤１５の表側から見えない位置に設けられている。しかし駆動手段が演出可動部材４，５を移動させていることが容易に認識できない程度に演出可動部材４，５から遠い位置で、かつ遊技盤１５の表側から視認し得る位置に駆動手段が設けられる形態であっても良い。
（６）上記実施の形態の透明部材３と駆動手段６は、ベース部材７の裏側に取付けられている。しかしこれらがベース部材７の表側に取付けられる形態であっても良い。
（７）上記実施の形態の透明部材３は、表示装置２に対して上下に移動する。しかし透明部材が左右方向など他の方向に移動する形態であっても良い。
（８）上記実施の形態の演出可動部材４，５は、透明部材３よりも表側に突出する形状である。しかし演出可動部材がシート状で透明部材３に貼付もしくは埋め込まれる形態、あるいは透明部材３の表面もしくは裏面に直接描かれた図柄などであっても良い。
【図面の簡単な説明】
【００２６】
【図１】パチンコ機の正面図である。
【図２】遊技盤の正面図である。
【図３】演出装置の一部分解斜視図である。
【図４】枠部材を外した状態の演出装置の斜視図である。
【図５】表側から見た演出装置の斜視図である。
【図６】裏側から見た演出装置の斜視図である。
【図７】演出可動部材が下位置にある際の演出装置の正面図（Ａ）と、Ｘ−Ｘ線断面矢視図（Ｂ）である。
【図８】演出可動部材が上位置にある際の演出装置の正面図（Ａ）と、Ｙ−Ｙ線断面矢視図（Ｂ）である。
【符号の説明】
【００２７】
１…演出装置
２…表示装置（演出固定部材）
３…透明部材
４，５…演出可動部材
６…駆動手段
６ａ…モータ
６ｂ…カム
７…ベース部材
７ａ…ベース本体
７ａ１，９ａ，１５ｂ…開口部
７ｂ…ガイド部
８…付勢部材
９…枠部材
１０…パチンコ機（遊技機）
１１…外枠
１２…前枠
１３…ガラス扉
１５…遊技盤
【図１】
2010104486.tif 000003
【図２】
2010104486.tif 000004
【図３】
2010104486.tif 000005
【図４】
2010104486.tif 000006
【図５】
2010104486.tif 000007
【図６】
2010104486.tif 000008
【図７】
2010104486.tif 000009
【図８】
2010104486.tif 000010